(57)【要約】【課題】コストの上昇を抑えつつ、低級紙に印刷されるカラー画像の品質を向上させることができる印刷方法を提供する。【解決手段】インキセット１０は、複数の色（例えばシアン，マゼンタ，イエロ）のインキそれぞれに、それぞれの色のインキの重量に対して１％〜１２％の白インキを添加した白インキ添加インキを備える。印刷機２０は、用紙３０に、インキセット１０の白インキ添加インキを用いてカラー画像を印刷する。白インキの添加量は、好ましくは、４％〜１０％である。【選択図】図１
2016215440.tif 000002
【特許請求の範囲】
【請求項１】
用紙に、複数の色のインキそれぞれに、それぞれの色のインキの重量に対して１％〜１２％の白インキを添加した白インキ添加インキを用いてカラー画像を印刷することを特徴とする印刷方法。
【請求項２】
前記それぞれの色のインキの重量に対して４％〜１０％の白インキを添加した白インキ添加インキを用いることを特徴とする請求項１記載の印刷方法。
【請求項３】
前記白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むことを特徴とする請求項１または２に記載の印刷方法。
【請求項４】
前記用紙は、段ボールとクラフト紙と更紙とのうちのいずれかであることを特徴とする請求項１〜３のいずれか１項に記載の印刷方法。
【請求項５】
用紙に対して、複数の色のインキそれぞれに、それぞれの色のインキの重量に対して１％〜１２％の白インキを添加した白インキ添加インキを用いたカラー画像を印刷することによって印刷物を製造することを特徴とする印刷物の製造方法。
【請求項６】
前記それぞれの色のインキの重量に対して４％〜１０％の白インキを添加した白インキ添加インキを用いることを特徴とする請求項５記載の印刷物の製造方法。
【請求項７】
前記白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むことを特徴とする請求項５または６に記載の印刷物の製造方法。
【請求項８】
前記用紙は、段ボールとクラフト紙と更紙とのうちのいずれかであることを特徴とする請求項５〜７のいずれか１項に記載の印刷物の製造方法。
【請求項９】
用紙に対して、複数の色のインキそれぞれに、それぞれの色のインキの重量に対して１％〜１２％の白インキを添加した白インキ添加インキを用いたカラー画像の印刷が施されていることを特徴とする印刷物。
【請求項１０】
前記用紙に対して、前記それぞれの色のインキの重量に対して４％〜１０％の白インキを添加した白インキ添加インキを用いたカラー画像の印刷が施されていることを特徴とする請求項９記載の印刷物。
【請求項１１】
前記白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むことを特徴とする請求項９または１０に記載の印刷物。
【請求項１２】
前記用紙は、段ボールとクラフト紙と更紙とのうちのいずれかであることを特徴とする請求項９〜１１のいずれか１項に記載の印刷物。
【請求項１３】
シアンインキに、シアンインキの重量に対して１％〜１２％の白インキが添加された白インキ添加シアンインキと、
マゼンタインキに、マゼンタインキの重量に対して１％〜１２％の白インキが添加された白インキ添加マゼンタインキと、
イエロインキに、イエロインキの重量に対して１％〜１２％の白インキが添加された白インキ添加イエロインキと、
を備えるインキセット。
【請求項１４】
前記白インキ添加シアンインキと、前記白インキ添加マゼンタインキと、前記白インキ添加イエロインキそれぞれにおける白インキの添加量が４％〜１０％であることを特徴とする請求項１３記載のインキセット。
【発明の詳細な説明】
【技術分野】
【０００１】
本発明は、印刷方法、印刷物の製造方法、印刷物、インキセットに関する。
【背景技術】
【０００２】
段ボール、クラフト紙、更紙等の白色度が低い紙（以下、低級紙）にカラー画像を印刷することがある。低級紙は紙自体が所定の色を有していることから、印刷されるカラー画像を鮮やかに発色させることが難しい。
【０００３】
段ボールを例にすると、段ボールに印刷されるカラー画像を鮮やかに発色させるために、予め白インキを印刷してその上にカラー画像を印刷したり、白色度の高いコート紙を接着してコート紙上にカラー画像を印刷したりすることがある。
【先行技術文献】
【特許文献】
【０００４】
【特許文献１】特開平８−２９５００９号公報
【発明の概要】
【発明が解決しようとする課題】
【０００５】
例えば、製品の梱包箱は段ボールによって形成されている。梱包箱に鮮やかな色の高品質なカラー画像を印刷すれば、梱包箱が人の目に留まりやすくなり、製品の販売量の向上につながる可能性がある。
【０００６】
ところが、段ボールに予め白インキを印刷したり、コート紙を接着したりする従来のカラー画像の品質向上方法では、コストが上昇してしまう。梱包箱はコストの削減が求められており、従来の品質向上方法を採用することが難しい。
【０００７】
本発明は、コストの上昇を抑えつつ、低級紙に印刷されるカラー画像の品質を向上させることができる印刷方法、印刷物の製造方法、インキセットを提供することを目的とする。また、本発明は、低級紙であっても、コストの上昇を抑えつつ、高品質なカラー画像が印刷された印刷物を提供することを目的とする。
【課題を解決するための手段】
【０００８】
本発明は、上述した従来の技術の課題を解決するため、用紙に、複数の色のインキそれぞれに、それぞれの色のインキの重量に対して１％〜１２％の白インキを添加した白インキ添加インキを用いてカラー画像を印刷することを特徴とする印刷方法を提供する。
【０００９】
上記の印刷方法において、前記それぞれの色のインキの重量に対して４％〜１０％の白インキを添加した白インキ添加インキを用いることが好ましい。
【００１０】
上記の印刷方法において、前記白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むことが好ましい。
【００１１】
上記の印刷方法において、前記用紙は、段ボールとクラフト紙と更紙とのうちのいずれかであることが好ましい。
【００１２】
本発明は、上述した従来の技術の課題を解決するため、用紙に対して、複数の色のインキそれぞれに、それぞれの色のインキの重量に対して１％〜１２％の白インキを添加した白インキ添加インキを用いたカラー画像を印刷することによって印刷物を製造することを特徴とする印刷物の製造方法を提供する。
【００１３】
上記の印刷物の製造方法において、前記それぞれの色のインキの重量に対して４％〜１０％の白インキを添加した白インキ添加インキを用いることが好ましい。
【００１４】
上記の印刷物の製造方法において、前記白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むことが好ましい。
【００１５】
上記の印刷物の製造方法において、前記用紙は、段ボールとクラフト紙と更紙とのうちのいずれかであることが好ましい。
【００１６】
本発明は、上述した従来の技術の課題を解決するため、用紙に対して、複数の色のインキそれぞれに、それぞれの色のインキの重量に対して１％〜１２％の白インキを添加した白インキ添加インキを用いたカラー画像の印刷が施されていることを特徴とする印刷物を提供する。
【００１７】
上記の印刷物において、前記用紙に対して、前記それぞれの色のインキの重量に対して４％〜１０％の白インキを添加した白インキ添加インキを用いたカラー画像の印刷が施されていることが好ましい。
【００１８】
上記の印刷物において、前記白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むことが好ましい。
【００１９】
上記の印刷物において、前記用紙は、段ボールとクラフト紙と更紙とのうちのいずれかであることが好ましい。
【００２０】
本発明は、上述した従来の技術の課題を解決するため、シアンインキに、シアンインキの重量に対して１％〜１２％の白インキが添加された白インキ添加シアンインキと、マゼンタインキに、マゼンタインキの重量に対して１％〜１２％の白インキが添加された白インキ添加マゼンタインキと、イエロインキに、イエロインキの重量に対して１％〜１２％の白インキが添加された白インキ添加イエロインキとを備えるインキセットを提供する。
【００２１】
上記のインキセットにおいて、前記白インキ添加シアンインキと、前記白インキ添加マゼンタインキと、前記白インキ添加イエロインキそれぞれにおける白インキの添加量が４％〜１０％であることが好ましい。
【発明の効果】
【００２２】
本発明の印刷方法、印刷物の製造方法、インキセットによれば、コストの上昇を抑えつつ、低級紙に印刷されるカラー画像の品質を向上させることができる。また、本発明の印刷物によれば、低級紙であっても、コストの上昇を抑えつつ、高品質なカラー画像とすることができる。
【図面の簡単な説明】
【００２３】
【図１】一実施形態のインキセットを用いて、一実施形態の印刷方法及び印刷物の製造方法を実行させ、一実施形態の印刷物を印刷する印刷機を概念的に示すブロック図である。
【図２】低級紙にシアン，マゼンタ，イエロのインキを印刷した比較例１の印刷部と、低級紙に白インキを印刷し、色インキ上にシアン，マゼンタ，イエロのインキを印刷した比較例２の印刷部と、低級紙にそれぞれ５％の白インキを添加したシアン，マゼンタ，イエロのインキを印刷した実施例１の印刷物と、低級紙にそれぞれ１０％の白インキを添加したシアン，マゼンタ，イエロのインキを印刷した実施例２の印刷物のa*，b*平面内での色再現域を示す特性図である。
【図３】比較例１，２及び実施例１，２の印刷物のシアンのL*値を示す特性図である。
【図４】比較例１，２及び実施例１，２の印刷物のシアンのa*，b*値を示す特性図である。
【図５】実施例１，２の印刷物の網点の面積率に応じたシアンのL*値を示す特性図である。
【図６】実施例１，２の印刷物の網点の面積率に応じたシアンのa*値を示す特性図である。
【図７】実施例１，２の印刷物の網点の面積率に応じたシアンのb*値を示す特性図である。
【図８】比較例１，２及び実施例１，２の印刷物のマゼンタのL*値を示す特性図である。
【図９】比較例１，２及び実施例１，２の印刷物のマゼンタのa*，b*値を示す特性図である。
【図１０】実施例１，２の印刷物の網点の面積率に応じたマゼンタのL*値を示す特性図である。
【図１１】実施例１，２の印刷物の網点の面積率に応じたマゼンタのa*値を示す特性図である。
【図１２】実施例１，２の印刷物の網点の面積率に応じたマゼンタのb*値を示す特性図である。
【図１３】比較例１，２及び実施例１，２の印刷物のイエロのL*値を示す特性図である。
【図１４】比較例１，２及び実施例１，２の印刷物のイエロのa*，b*値を示す特性図である。
【図１５】実施例１，２の印刷物の網点の面積率に応じたイエロのL*値を示す特性図である。
【図１６】実施例１，２の印刷物の網点の面積率に応じたイエロのa*値を示す特性図である。
【図１７】実施例１，２の印刷物の網点の面積率に応じたイエロのb*値を示す特性図である。
【図１８】比較例１，２及び実施例１，２の印刷物のレッドのL*値を示す特性図である。
【図１９】比較例１，２及び実施例１，２の印刷物のレッドのa*，b*値を示す特性図である。
【図２０】実施例１，２の印刷物の網点の面積率に応じたレッドのL*値を示す特性図である。
【図２１】実施例１，２の印刷物の網点の面積率に応じたレッドのa*値を示す特性図である。
【図２２】実施例１，２の印刷物の網点の面積率に応じたレッドのb*値を示す特性図である。
【図２３】比較例１，２及び実施例１，２の印刷物のグリーンのL*値を示す特性図である。
【図２４】比較例１，２及び実施例１，２の印刷物のグリーンのa*，b*値を示す特性図である。
【図２５】実施例１，２の印刷物の網点の面積率に応じたグリーンのL*値を示す特性図である。
【図２６】実施例１，２の印刷物の網点の面積率に応じたグリーンのa*値を示す特性図である。
【図２７】実施例１，２の印刷物の網点の面積率に応じたグリーンのb*値を示す特性図である。
【図２８】比較例１，２及び実施例１，２の印刷物のブルーのL*値を示す特性図である。
【図２９】比較例１，２及び実施例１，２の印刷物のブルーのa*，b*値を示す特性図である。
【図３０】実施例１，２の印刷物の網点の面積率に応じたブルーのL*値を示す特性図である。
【図３１】実施例１，２の印刷物の網点の面積率に応じたブルーのa*値を示す特性図である。
【図３２】実施例１，２の印刷物の網点の面積率に応じたブルーのb*値を示す特性図である。
【図３３】シアンインキに添加する白インキの添加量とa*値との関係を示す特性図である。
【図３４】シアンインキに添加する白インキの添加量とb*値との関係を示す特性図である。
【図３５】マゼンタインキに添加する白インキの添加量とa*値との関係を示す特性図である。
【図３６】マゼンタインキに添加する白インキの添加量とb*値との関係を示す特性図である。
【図３７】イエロインキに添加する白インキの添加量とa*値との関係を示す特性図である。
【図３８】イエロインキに添加する白インキの添加量とb*値との関係を示す特性図である。
【図３９】低級紙にマゼンタとイエロのインキを重ねて印刷した比較例３の印刷物と、低級紙にそれぞれ５％の白インキを添加したマゼンタとイエロのインキを重ねて印刷した実施例３の印刷物と、低級紙にそれぞれ５％の白インキを添加したマゼンタとイエロのインキと特色のレッドのインキとを重ねて印刷した実施例４の印刷物のa*，b*平面内での色再現域を示す特性図である。
【図４０】実施例４の印刷物と、低級紙にそれぞれ１０％の白インキを添加したマゼンタとイエロのインキと特色のレッドのインキとを重ねて印刷した実施例４’の印刷物の網点の面積率に応じたレッドのL*値を示す特性図である。
【図４１】実施例４，４’の印刷物の網点の面積率に応じたレッドのa*値を示す特性図である。
【図４２】実施例４，４’の印刷物の網点の面積率に応じたレッドのb*値を示す特性図である。
【図４３】低級紙にシアンとイエロのインキを重ねて印刷した比較例４の印刷物と、低級紙にそれぞれ５％の白インキを添加したシアンとイエロのインキを重ねて印刷した実施例５の印刷物と、低級紙にそれぞれ５％の白インキを添加したシアンとイエロのインキと特色のグリーンのインキとを重ねて印刷した実施例６の印刷物のa*，b*平面内での色再現域を示す特性図である。
【図４４】実施例６の印刷物と、低級紙にそれぞれ１０％の白インキを添加したシアンとイエロのインキと特色のグリーンのインキとを重ねて印刷した実施例６’の印刷物の網点の面積率に応じたグリーンのL*値を示す特性図である。
【図４５】実施例６，６’の印刷物の網点の面積率に応じたグリーンのa*値を示す特性図である。
【図４６】実施例６，６’の印刷物の網点の面積率に応じたグリーンのb*値を示す特性図である。
【図４７】低級紙にシアンとマゼンタのインキを重ねて印刷した比較例５の印刷物と、低級紙にそれぞれ５％の白インキを添加したシアンとマゼンタのインキを重ねて印刷した実施例７の印刷物と、低級紙にそれぞれ５％の白インキを添加したシアンとマゼンタのインキと特色のブルーのインキとを重ねて印刷した実施例８の印刷物のa*，b*平面内での色再現域を示す特性図である。
【図４８】実施例８の印刷物と、低級紙にそれぞれ１０％の白インキを添加したシアンとマゼンタのインキと特色のブルーのインキとを重ねて印刷した実施例８’の印刷物の網点の面積率に応じたブルーのL*値を示す特性図である。
【図４９】実施例８，８’の印刷物の網点の面積率に応じた特色のブルーのa*値を示す特性図である。
【図５０】実施例８，８’の印刷物の網点の面積率に応じた特色のブルーのb*値を示す特性図である。
【図５１】比較例１の印刷物と、実施例１の印刷物と、低級紙にそれぞれ５％の白インキを添加したシアン，マゼンタ，イエロのインキと、特色のレッド，グリーン，ブルーを重ねて印刷した実施例９の印刷物のa*，b*平面内での色再現域を示す特性図である。
【発明を実施するための形態】
【００２４】
以下、一実施形態の印刷方法、印刷物の製造方法、印刷物、インキセットについて、添付図面を参照して説明する。
【００２５】
図１において、インキセット１０は、複数の色インキから構成される。インキセット１０は、複数の色インキとして、少なくとも、白インキ添加シアンインキ、白インキ添加マゼンタインキ、白インキ添加イエロインキを含む。白インキ添加シアンインキ、白インキ添加マゼンタインキ、白インキ添加イエロインキの詳細は後述する。
【００２６】
インキセット１０は、上記の３色のインキに、黒インキを加えた４色のインキであってもよい。インキセット１０は、上記の３色またはその４色のインキに、特色としてのレッド，グリーン，ブルーのインキを加えた６色または７色のインキであってもよい。
【００２７】
印刷機２０は、インキセット１０に含まれる複数の色インキを用いて用紙３０に所定のカラー画像を印刷する。用紙３０にカラー画像を印刷することによって、用紙３０上に所定のパターンのカラー画像を構成するインキ３１ｉが塗布された印刷物３１が得られる。
【００２８】
用紙３０は、例えば段ボール、クラフト紙、更紙等の白色度が低い低級紙である。印刷機２０は、用紙３０の種類に応じた方式の印刷機とすればよい。本実施形態においては、用紙３０を段ボールとする。用紙３０が段ボールである場合、印刷機２０はフレキソ印刷機と称される凸版印刷機とするのがよい。
【００２９】
印刷機２０は、フレキソ印刷機の他、オフセット枚葉印刷機、オフセット輪転印刷機、グラビア印刷機、スクリーン印刷機等の任意の方式の印刷機でよい。印刷機２０は、工業用の印刷機であってもよく、インクジェットプリンタのような家庭用の印刷機であってもよい。
【００３０】
以下、用紙３０に印刷されるカラー画像の品質を向上させることができる印刷方法、高品質なカラー画像が印刷された印刷物３１を製造することができる印刷物の製造方法を具体的に説明する。併せて、インキセット１０及び印刷物３１の具体的な構成を説明する。
【００３１】
一般的な段ボールは、濃度０．７±０．３、L*a*b*表色系（CIE L*a*b*）のL*，a*，b*値は、６５，５，２５（誤差ΔＥ±１０）である。ΔＥ±１０は、ΔL*±１０，Δa*±１０，Δb*±１０を意味する。このような濃度及びL*，a*，b*値を有する段ボールを用紙３０とする。
【００３２】
比較例１として、印刷機２０によって、用紙３０に、通常のシアン，マゼンタ，イエロそれぞれのインキを直接印刷した印刷物を印刷物ＰＡとする。印刷物ＰＡにおけるシアン，マゼンタ，イエロそれぞれのインキ濃度は、０．９±０．３であった。
【００３３】
比較例２として、印刷機２０によって、用紙３０にまず白インキを印刷し、次に白インキの上にシアン，マゼンタ，イエロそれぞれのインキを印刷した印刷物を印刷物ＰＢとする。白インキは、例えば、濃度が０．６±０．３、L*，a*，b*値が７５，０，０（誤差ΔＥ±１０）である。印刷物ＰＢにおけるシアン，マゼンタ，イエロそれぞれのインキ濃度は、１．２±０．３であった。
【００３４】
実施例１として、印刷機２０によって、用紙３０に、シアン，マゼンタ，イエロそれぞれのインキにそれぞれのインキの重量の５％の白インキを添加した白インキ添加シアンインキ、白インキ添加マゼンタインキ、白インキ添加イエロインキを印刷した印刷物を印刷物ＰＣとする。白インキは、印刷物ＰＢで用いた白インキと同じである。なお、５％の白インキを添加とは、白インキ添加前の色インキ全量に対する添加量をいう。
【００３５】
印刷物ＰＣにおける白インキ添加シアンインキ、白インキ添加マゼンタインキ、白インキ添加イエロインキそれぞれのインキ濃度は、１．１±０．３であった。
【００３６】
実施例２として、印刷機２０によって、用紙３０に、シアン，マゼンタ，イエロそれぞれのインキにそれぞれのインキの重量の１０％の白インキを添加した白インキ添加シアンインキ、白インキ添加マゼンタインキ、白インキ添加イエロインキを印刷した印刷物を印刷物ＰＤとする。白インキは、印刷物ＰＢで用いた白インキと同じである。同様に、１０％の白インキを添加とは、白インキ添加前の色インキ全量に対する添加量をいう。
【００３７】
印刷物ＰＤにおける白インキ添加シアンインキ、白インキ添加マゼンタインキ、白インキ添加イエロインキそれぞれのインキ濃度は、１．１５±０．３であった。
【００３８】
図２は、印刷物ＰＡ〜ＰＤのa*，b*平面内での色再現域を示している。図２及びそれ以降の図において、Ｃはシアン、Ｍはマゼンタ、Ｙはイエロ、Ｒはレッド、Ｇはグリーン、Ｂはブルーの各色の位置を示している。色再現域を示す六角形が外側に位置するほど、鮮やかなカラー画像となる。
【００３９】
図２より分かるように、印刷物ＰＡと印刷物ＰＢとでは、カラー画像の鮮やかさの程度はほとんど変わらない。印刷物ＰＣ，ＰＤは、印刷物ＰＡ，ＰＢと比較して、カラー画像がより鮮やかである。
【００４０】
次に、印刷物ＰＡ〜ＰＤそれぞれの、シアン，マゼンタ，イエロの各色のL*，a*，b*値を説明する。
【００４１】
＜シアン＞
印刷物ＰＡのシアンの濃度は上記のように０．９±０．３であり、このときのL*，a*，b*値は（４７，−１６，１０）、誤差ΔＥ±１０であった。印刷物ＰＢのシアンの濃度は上記のように１．２±０．３であり、このときのL*，a*，b*値は（４５，−２０，１３）、誤差ΔＥ±１０であった。
【００４２】
印刷物ＰＣのシアンの濃度は上記のように１．１±０．３であり、このときのL*，a*，b*値は（４５，−１９，１２）、誤差ΔＥ±１０であった。印刷物ＰＤのシアンの濃度は上記のように１．１５±０．３であり、このときのL*，a*，b*値は（４８，−１６，１１）、誤差ΔＥ±１０であった。
【００４３】
図３は、印刷物ＰＡ〜ＰＤそれぞれのシアンのL*値を示している。図４は、印刷物ＰＡ〜ＰＤそれぞれのシアンのa*，b*値を示している。図３に示すように、印刷物ＰＣ，ＰＤは印刷物ＰＡ，ＰＢと比較してL*値、即ち、明るさが若干低下するものの、図４に示すように、彩度が向上する。図４において、矢印で示す方向が彩度が向上する方向である。
【００４４】
L*a*b*表色系で表されるシアンのL*値は、実施例１の印刷物ＰＣのときは式（１）で、実施例２の印刷物ＰＤのときは式（２）で表すことができる。式（１）及びそれ以降の式において、ｄは網点の面積率を示す。網点の面積率ｄは、０〜１のいずれかの値である。
【００４５】
L*=−0.3233×ｄ２−3.0132×ｄ＋58.232    …（１）
L*=−0.3233×ｄ２−3.0132×ｄ＋78.232    …（２）
【００４６】
L*a*b*表色系で表されるシアンのa*値は、印刷物ＰＣのときは式（３）で、印刷物ＰＤのときは式（４）で表すことができる。
【００４７】
a*=−0.762×ｄ２−1.7602×ｄ−2.0872    …（３）
a*=−0.762×ｄ２−1.7602×ｄ＋17.913    …（４）
【００４８】
L*a*b*表色系で表されるシアンのb *値は、印刷物ＰＣのときは式（５）で、実施例２の印刷物ＰＤのときは式（６）で表すことができる。
【００４９】
b*=−0.4068×ｄ２−4.6744×ｄ＋10.769    …（５）
b*=−0.4068×ｄ２−4.6744×ｄ＋30.769    …（６）
【００５０】
図５は、面積率ｄを変化させたときの式（１），（２）が示すL*値の特性を示している。図６は、面積率ｄを変化させたときの式（３），（４）が示すa*値の特性を示している。図７は、面積率ｄを変化させたときの式（５），（６）が示すb*値の特性を示している。図５及びそれ以降の図において、ＨＬはハイライト、Ｌはライト、ＭＤは中間、ＳＤはシャドウ、ＳＬはソリッドを示している。ＨＬからＳＬに向かうに従って面積率ｄの値が増大する。
【００５１】
シアンインキに添加する白インキの量を５％から１０％まで増大させると、L*値は図５に示す実線から破線までの範囲で、a*値は図６に示す実線から破線までの範囲で、b*値は図７に示す実線から破線までの範囲で変化する。
【００５２】
＜マゼンタ＞
印刷物ＰＡのマゼンタの濃度は上記のように０．９±０．３であり、このときのL*，a*，b*値は（４６，４１，８）、誤差ΔＥ±１０であった。印刷物ＰＢのマゼンタの濃度は上記のように１．２±０．３であり、このときのL*，a*，b*値は（４７，４２，８）、誤差ΔＥ±１０であった。
【００５３】
印刷物ＰＣのマゼンタの濃度は上記のように１．１±０．３であり、このときのL*，a*，b*値は（４３，４８，９）、誤差ΔＥ±１０であった。印刷物ＰＤのマゼンタの濃度は上記のように１．１５±０．３であり、このときのL*，a*，b*値は（４４，４６，９）、誤差ΔＥ±１０であった。
【００５４】
図８は、印刷物ＰＡ〜ＰＤそれぞれのマゼンタのL*値を示している。図９は、印刷物ＰＡ〜ＰＤそれぞれのマゼンタのa*，b*値を示している。図８に示すように、印刷物ＰＣ，ＰＤは印刷物ＰＡ，ＰＢと比較してL*値が若干低下するものの、図９に示すように、彩度が向上する。図９において、矢印で示す方向が彩度が向上する方向である。
【００５５】
L*a*b*表色系で表されるマゼンタのL*値は、印刷物ＰＣのときは式（７）で、印刷物ＰＤのときは式（８）で表すことができる。
【００５６】
L*=−0.4834×ｄ２−2.478×ｄ＋57.671    …（７）
L*=−0.4834×ｄ２−2.478×ｄ＋77.671    …（８）
【００５７】
L*a*b*表色系で表されるマゼンタのa*値は、印刷物ＰＣのときは式（９）で、印刷物ＰＤのときは式（１０）で表すことができる。
【００５８】
a*=1.1237×ｄ２＋1.9829×ｄ−0.6017    …（９）
a*=1.1237×ｄ２＋1.9829×ｄ＋19.398    …（１０）
【００５９】
L*a*b*表色系で表されるマゼンタのb *値は、印刷物ＰＣのときは式（１１）で、印刷物ＰＤのときは式（１２）で表すことができる。
【００６０】
b*=0.3319×ｄ２−4.2245×ｄ＋11.8    …（１１）
b*=0.3319×ｄ２−4.2245×ｄ＋31.8    …（１２）
【００６１】
図１０は、面積率ｄを変化させたときの式（７），（８）が示すL*値の特性を示している。図１１は、面積率ｄを変化させたときの式（９），（１０）が示すa*値の特性を示している。図１２は、面積率ｄを変化させたときの式（１１），（１２）が示すb*値の特性を示している。
【００６２】
マゼンタインキに添加する白インキの量を５％から１０％まで増大させると、L*値は図１０に示す実線から破線までの範囲で、a*値は図１１に示す実線から破線までの範囲で、b*値は図１２に示す実線から破線までの範囲で変化する。
【００６３】
＜イエロ＞
印刷物ＰＡのイエロの濃度は上記のように０．９±０．３であり、このときのL*，a*，b*値は（６５，６，４５）、誤差ΔＥ±１０であった。印刷物ＰＢのイエロの濃度は上記のように１．２±０．３であり、このときのL*，a*，b*値は（６６，６，４３）、誤差ΔＥ±１０であった。
【００６４】
印刷物ＰＣのイエロの濃度は上記のように１．１±０．３であり、このときのL*，a*，b*値は（６４，７，５０）、誤差ΔＥ±１０であった。印刷物ＰＤのイエロの濃度は上記のように１．１５±０．３であり、このときのL*，a*，b*値は（６５，６，５０）、誤差ΔＥ±１０であった。
【００６５】
図１３は、印刷物ＰＡ〜ＰＤそれぞれのイエロのL*値を示している。図１４は、印刷物ＰＡ〜ＰＤそれぞれのイエロのa*，b*値を示している。図１３に示すように、印刷物ＰＣ，ＰＤは印刷物ＰＡ，ＰＢと比較してL*値が若干低下するものの、図１４に示すように、彩度が向上する。図１４において、矢印で示す方向が彩度が向上する方向である。
【００６６】
L*a*b*表色系で表されるイエロのL*値は、印刷物ＰＣのときは式（１３）で、印刷物ＰＤのときは式（１４）で表すことができる。
【００６７】
L*=0.0092×ｄ２−0.5871×ｄ＋57.15    …（１３）
L*=0.0092×ｄ２−0.5871×ｄ＋77.15    …（１４）
【００６８】
L*a*b*表色系で表されるイエロのa*値は、印刷物ＰＣのときは式（１５）で、印刷物ＰＤのときは式（１６）で表すことができる。
【００６９】
a*=0.0087×ｄ２−0.4578×ｄ−1.2824    …（１５）
a*=0.0087×ｄ２−0.4578×ｄ＋18.718    …（１６）
【００７０】
L*a*b*表色系で表されるイエロのb *値は、印刷物ＰＣのときは式（１７）で、印刷物ＰＤのときは式（１８）で表すことができる。
【００７１】
b*=0.9347×ｄ２＋1.1472×ｄ＋10.906    …（１７）
b*=0.9347×ｄ２＋1.1472×ｄ＋30.906    …（１８）
【００７２】
図１５は、面積率ｄを変化させたときの式（１３），（１４）が示すL*値の特性を示している。図１６は、面積率ｄを変化させたときの式（１５），（１６）が示すa*値の特性を示している。図１７は、面積率ｄを変化させたときの式（１７），（１８）が示すb*値の特性を示している。
【００７３】
イエロインキに添加する白インキの量を５％から１０％まで増大させると、L*値は図１５に示す実線から破線までの範囲で、a*値は図１６に示す実線から破線までの範囲で、b*値は図１７に示す実線から破線までの範囲で変化する。
【００７４】
さらに、印刷物ＰＡ〜ＰＤにおいて、白インキ添加マゼンタインキと白インキ添加イエロインキとを重ねて印刷したレッド、白インキ添加シアンインキと白インキ添加イエロインキとを重ねて印刷したグリーン、白インキ添加シアンインキと白インキ添加マゼンタインキとを重ねて印刷したブルーの各色のL*，a*，b*値を説明する。
【００７５】
＜レッド＞
印刷物ＰＡのレッドのL*，a*，b*値は（４６，３８，１８）、誤差ΔＥ±１０であった。印刷物ＰＢのレッドのL*，a*，b*値は（４６，３９，１７）、誤差ΔＥ±１０であった。印刷物ＰＣのレッドのL*，a*，b*値は（４２，４４，２２）、誤差ΔＥ±１０であった。印刷物ＰＤのレッドのL*，a*，b*値は（４３，４５，２３）、誤差ΔＥ±１０であった。
【００７６】
図１８は、印刷物ＰＡ〜ＰＤそれぞれのレッドのL*値を示している。図１９は、印刷物ＰＡ〜ＰＤそれぞれのレッドのa*，b*値を示している。図１８に示すように、印刷物ＰＣ，ＰＤは印刷物ＰＡ，ＰＢと比較してL*値が若干低下するものの、図１９に示すように、彩度が向上する。図１９において、矢印で示す方向が彩度が向上する方向である。
【００７７】
L*a*b*表色系で表されるレッドのL*値は、印刷物ＰＣのときは式（１９）で、印刷物ＰＤのときは式（２０）で表すことができる。式（１９）〜式（２４）において、ｄはマゼンタとイエロとの互いに同じ網点の面積率を示す。
【００７８】
L*=−0.3098×ｄ２−3.7013×ｄ＋58.522    …（１９）
L*=−0.3098×ｄ２−3.7013×ｄ＋78.522    …（２０）
【００７９】
L*a*b*表色系で表されるレッドのa*値は、印刷物ＰＣのときは式（２１）で、印刷物ＰＤのときは式（２２）で表すことができる。
【００８０】
a*=−0.762×ｄ２−1.7602×ｄ−2.1536    …（２１）
a*=−0.762×ｄ２−1.7602×ｄ＋17.913    …（２２）
【００８１】
L*a*b*表色系で表されるレッドのb *値は、印刷物ＰＣのときは式（２３）で、印刷物ＰＤのときは式（２４）で表すことができる。
【００８２】
b*=−0.818×ｄ２＋5.5744×ｄ＋5.352    …（２３）
b*=−0.818×ｄ２＋5.5744×ｄ＋25.352    …（２４）
【００８３】
図２０は、面積率ｄを変化させたときの式（１９），（２０）が示すL*値の特性を示している。図２１は、面積率ｄを変化させたときの式（２１），（２２）が示すa*値の特性を示している。図２２は、面積率ｄを変化させたときの式（２３），（２４）が示すb*値の特性を示している。
【００８４】
マゼンタとイエロのインキに添加する白インキの量を５％から１０％まで増大させると、レッドのL*値は図２０に示す実線から破線までの範囲で、a*値は図２１に示す実線から破線までの範囲で、b*値は図２２に示す実線から破線までの範囲で変化する。
【００８５】
＜グリーン＞
印刷物ＰＡのグリーンのL*，a*，b*値は（４５，−１９，９）、誤差ΔＥ±１０であった。印刷物ＰＢのグリーンのL*，a*，b*値は（４５，−１９，８）、誤差ΔＥ±１０であった。印刷物ＰＣのグリーンのL*，a*，b*値は（４２，−２４，１２）、誤差ΔＥ±１０であった。印刷物ＰＤのグリーンのL*，a*，b*値は（４３，−２３，１１）、誤差ΔＥ±１０であった。
【００８６】
図２３は、印刷物ＰＡ〜ＰＤそれぞれのグリーンのL*値を示している。図２４は、印刷物ＰＡ〜ＰＤそれぞれのグリーンのa*，b*値を示している。図２３に示すように、印刷物ＰＣ，ＰＤは印刷物ＰＡ，ＰＢと比較してL*値が若干低下するものの、図２４に示すように、彩度が向上する。図２４において、矢印で示す方向が彩度が向上する方向である。
【００８７】
L*a*b*表色系で表されるグリーンのL*値は、印刷物ＰＣのときは式（２５）で、印刷物ＰＤのときは式（２６）で表すことができる。式（２５）〜式（３０）において、ｄはシアンとイエロとの互いに同じ網点の面積率を示す。
【００８８】
L*=−0.4519×ｄ２−2.8753×ｄ＋57.901    …（２５）
L*=−0.4519×ｄ２−2.8753×ｄ＋77.901    …（２６）
【００８９】
L*a*b*表色系で表されるグリーンのa*値は、印刷物ＰＣのときは式（２７）で、印刷物ＰＤのときは式（２８）で表すことができる。
【００９０】
a*=−0.8625×ｄ２−2.177×ｄ−1.8649    …（２７）
a*=−0.8625×ｄ２−2.177×ｄ＋18.135    …（２８）
【００９１】
L*a*b*表色系で表されるグリーンのb *値は、印刷物ＰＣのときは式（２９）で、印刷物ＰＤのときは式（３０）で表すことができる。
【００９２】
b*=0.1301×ｄ２−2.7258×ｄ＋12.21    …（２９）
b*=0.1301×ｄ２−2.7258×ｄ＋32.21    …（３０）
【００９３】
図２５は、面積率ｄを変化させたときの式（２５），（２６）が示すL*値の特性を示している。図２６は、面積率ｄを変化させたときの式（２７），（２８）が示すa*値の特性を示している。図２７は、面積率ｄを変化させたときの式（２９），（３０）が示すb*値の特性を示している。
【００９４】
シアンとイエロのインキに添加する白インキの量を５％から１０％まで増大させると、グリーンのL*値は図２５に示す実線から破線までの範囲で、a*値は図２６に示す実線から破線までの範囲で、b*値は図２７に示す実線から破線までの範囲で変化する。
【００９５】
＜ブルー＞
印刷物ＰＡのブルーのL*，a*，b*値は（３６，７，−８）、誤差ΔＥ±１０であった。印刷物ＰＢのブルーのL*，a*，b*値は（３７，６，−９）、誤差ΔＥ±１０であった。印刷物ＰＣのブルーのL*，a*，b*値は（３２，７，−１１）、誤差ΔＥ±１０であった。印刷物ＰＤのブルーのL*，a*，b*値は（３３，７，−１１）、誤差ΔＥ±１０であった。
【００９６】
図２８は、印刷物ＰＡ〜ＰＤそれぞれのブルーのL*値を示している。図２９は、印刷物ＰＡ〜ＰＤそれぞれのブルーのa*，b*値を示している。図２８に示すように、印刷物ＰＣ，ＰＤは印刷物ＰＡ，ＰＢと比較してL*値が若干低下するものの、図２９に示すように、彩度が向上する。図２９において、矢印で示す方向が彩度が向上する方向である。
【００９７】
L*a*b*表色系で表されるブルーのL*値は、印刷物ＰＣのときは式（３１）で、印刷物ＰＤのときは式（３２）で表すことができる。式（３１）〜式（３６）において、ｄはシアンとマゼンタとの互いに同じ網点の面積率を示す。
【００９８】
L*=−0.1467×ｄ２−6.814×ｄ＋59.788    …（３１）
L*=−0.1467×ｄ２−6.814×ｄ＋79.788    …（３２）
【００９９】
L*a*b*表色系で表されるブルーのa*値は、印刷物ＰＣのときは式（３３）で、印刷物ＰＤのときは式（３４）で表すことができる。
【０１００】
a*=−0.367×ｄ２＋1.7782×ｄ−2.4416    …（３３）
a*=−0.367×ｄ２＋1.7782×ｄ＋17.558    …（３４）
【０１０１】
L*a*b*表色系で表されるブルーのb *値は、印刷物ＰＣのときは式（３５）で、印刷物ＰＤのときは式（３６）で表すことができる。
【０１０２】
b*=0.2255×ｄ２−7.5965×ｄ＋11.285    …（３５）
b*=0.2255×ｄ２−7.5965×ｄ＋31.285    …（３６）
【０１０３】
図３０は、面積率ｄを変化させたときの式（３１），（３２）が示すL*値の特性を示している。図３１は、面積率ｄを変化させたときの式（３３），（３４）が示すa*値の特性を示している。図３２は、面積率ｄを変化させたときの式（３５），（３６）が示すb*値の特性を示している。
【０１０４】
シアンとマゼンタのインキに添加する白インキの量を５％から１０％まで増大させると、ブルーのL*値は図３０に示す実線から破線までの範囲で、a*値は図３１に示す実線から破線までの範囲で、b*値は図３２に示す実線から破線までの範囲で変化する。
【０１０５】
ここで、シアン，マゼンタ，イエロそれぞれのインキに、それぞれのインキの重量の何％の白インキを添加すれば、彩度が向上して鮮やかなカラー画像を得ることができるかを検討する。
【０１０６】
図３３，図３４は、それぞれ、シアンインキに添加する白インキの添加量を変化させたときのa*値，b*値の変化を示している。図３３，図３４において、a*値，b*値が矢印で示す下方向となるほど彩度が向上する。
【０１０７】
図３３，図３４に示すように、白インキの添加量１％でシアンの彩度が向上する効果が得られる。白インキの添加量が２％，３％…と増大すればシアンの彩度が向上していくが、４％〜１０％でシアンの彩度がほぼ一定で推移することが分かる。
【０１０８】
白インキの添加量が１１％以上となると、シアンの彩度は向上せず低下していくことが分かる。白インキの添加量が１２％を超えると、シアンの彩度は白インキを添加しない状態と同等またはそれよりも低下することが分かる。
【０１０９】
図３５，図３６は、それぞれ、マゼンタインキに添加する白インキの添加量を変化させたときのa*値，b*値の変化を示している。図３５，図３６において、a*値，b*値が矢印で示す上方向となるほど彩度が向上する。
【０１１０】
図３５，図３６に示すように、白インキの添加量１％でマゼンタの彩度が向上する効果が得られる。白インキの添加量が２％，３％…と増大すればマゼンタの彩度が向上していくが、４％〜１０％でマゼンタの彩度がほぼ一定で推移することが分かる。
【０１１１】
白インキの添加量が１１％以上となると、マゼンタの彩度は向上せず低下していくことが分かる。白インキの添加量が１２％を超えると、マゼンタの彩度は白インキを添加しない状態と同等またはそれよりも低下することが分かる。
【０１１２】
図３７，図３８は、それぞれ、イエロインキに添加する白インキの添加量を変化させたときのa*値，b*値の変化を示している。図３７，図３８において、a*値，b*値が矢印で示す上方向となるほど彩度が向上する。
【０１１３】
図３７，図３８に示すように、白インキの添加量１％でイエロの彩度が向上する効果が得られる。白インキの添加量が２％，３％…と増大すればイエロの彩度が向上していくが、４％〜１０％でイエロの彩度がほぼ一定で推移することが分かる。
【０１１４】
白インキの添加量が１１％以上となると、イエロの彩度は向上せず低下していくことが分かる。イエロのa*値においては、白インキの添加量が１１％以上となると、イエロの彩度は白インキを添加しない状態と同等またはそれよりも低下することが分かる。イエロのb*値においては、白インキの添加量が１５％（図示していない１５％以上）となると、イエロの彩度は白インキを添加しない状態と同等またはそれよりも低下することが分かる。
【０１１５】
以上を考慮すると、シアン，マゼンタ，イエロそれぞれのインキに対する白インキの添加量の下限値は１％である。下限値を４％とすることが好ましい。シアン，マゼンタ，イエロそれぞれのインキに対する白インキの添加量の上限値は１２％である。上限値を１０％とすることが好ましい。
【０１１６】
上記のようにイエロのa*値においては、白インキの添加量が１２％であるとイエロの彩度は白インキを添加しない状態よりも低下するが、低下の程度はわずかである。このとき、イエロのb*値においては、彩度は白インキを添加しない状態よりも向上する。従って、イエロにおいても、白インキの添加量の上限値を１２％とすることができる。
【０１１７】
シアン，マゼンタ，イエロのインキに、それぞれのインキの重量の１％〜１２％の白インキを添加した白インキ添加シアンインキ、白インキ添加マゼンタインキ、白インキ添加イエロインキを用いてカラー画像を印刷すれば、彩度が向上して鮮やかなカラー画像を得ることができる。白インキの添加量の範囲を１％〜１０％とすることが好ましい。白インキの添加量の範囲を４％〜１２％としてもよい。白インキの添加量の範囲を４％〜１０％とするのが最も好ましい。
【０１１８】
＜応用例＞
次に、以上の実施形態を発展させた応用例を説明する。応用例として、上述の白インキ添加シアンインキ、白インキ添加マゼンタインキ、白インキ添加イエロインキに、特色としてレッド，グリーン，ブルーのインキを加えて、２次色の色再現が濁る部分を鮮やかにしてもよい。この場合の２次色とは、マゼンタとイエロとを混合した色（即ち、レッド）、シアンとイエロとを混合した色（即ち、グリーン）、シアンとマゼンタとを混合した色（即ち、ブルー）である。
【０１１９】
＜特色レッド＞
比較例３として、印刷機２０によって、用紙３０に、通常のマゼンタ，イエロそれぞれのインキを直接重ねて印刷した印刷物を印刷物ＰＡ２とする。印刷物ＰＡ２のL*，a*，b*値は（４５，５０，２９）、誤差ΔＥ±１０であった。
【０１２０】
実施例３として、印刷機２０によって、用紙３０に、マゼンタ，イエロそれぞれのインキにそれぞれのインキの重量の５％の白インキを添加した白インキ添加マゼンタインキ、白インキ添加イエロインキを重ねて印刷した印刷物を印刷物ＰＣ２とする。印刷物ＰＣ２のL*，a*，b*値は（４２，４４，２２）、誤差ΔＥ±１０であった。
【０１２１】
実施例４として、印刷機２０によって、用紙３０に、マゼンタ，イエロそれぞれのインキにそれぞれのインキの重量の５％の白インキを添加した白インキ添加マゼンタインキ、白インキ添加イエロインキを重ねて印刷し、さらに特色のレッドインキを重ねて印刷した印刷物を印刷物ＰＥとする。印刷物ＰＥのL*，a*，b*値は（４７，５８，３７）、誤差ΔＥ±１０であった。
【０１２２】
図３９は、印刷物ＰＡ２，ＰＣ２，ＰＥのa*，b*平面内での色再現域を示している。色再現域を示す六角形が外側に位置するほど、彩度が向上して鮮やかなカラー画像となる。特色のレッドインキを加えることによって、レッドの彩度が向上して鮮やかなレッドとなる。
【０１２３】
L*a*b*表色系で表されるレッドのL*値は、実施例４の印刷物ＰＥのときは式（３７）で表すことができる。実施例４における白インキの添加量を１０％に増大させたときの印刷物を実施例４’とすると、実施例４’の印刷物のレッドのL*値は式（３８）で表すことができる。式（３７）〜式（４２）において、ｄはマゼンタとイエロとの互いに同じ網点の面積率を示す。
【０１２４】
L*=0.1373×ｄ２−8.8572×ｄ＋77.368    …（３７）
L*=0.1373×ｄ２−8.8572×ｄ＋97.368    …（３８）
【０１２５】
L*a*b*表色系で表されるレッドのa*値は、実施例４の印刷物ＰＥのときは式（３９）で、実施例４’の印刷物のときは式（４０）で表すことができる。
【０１２６】
a*=1.2007×ｄ２＋5.9267×ｄ−12.281    …（３９）
a*=1.2007×ｄ２＋5.9267×ｄ＋7.7185    …（４０）
【０１２７】
L*a*b*表色系で表されるレッドのb *値は、実施例４の印刷物ＰＥのときは式（４１）で、実施例４’の印刷物のときは式（４２）で表すことができる。
【０１２８】
b*=−0.3578×ｄ２＋8.8846×ｄ−9.3    …（４１）
b*=−0.3578×ｄ２＋8.8846×ｄ＋10.7    …（４２）
【０１２９】
図４０は、面積率ｄを変化させたときの式（３７），（３８）が示すL*値の特性を示している。図４１は、面積率ｄを変化させたときの式（３９），（４０）が示すa*値の特性を示している。図４２は、面積率ｄを変化させたときの式（４１），（４２）が示すb*値の特性を示している。
【０１３０】
マゼンタとイエロのインキに添加する白インキの量を５％から１０％まで増大させると、レッドのL*値は図４０に示す実線から破線までの範囲で、a*値は図４１に示す実線から破線までの範囲で、b*値は図４２に示す実線から破線までの範囲で変化する。
【０１３１】
＜特色グリーン＞
比較例４として、印刷機２０によって、用紙３０に、通常のシアン，イエロそれぞれのインキを直接重ねて印刷した印刷物を印刷物ＰＡ３とする。印刷物ＰＡ３のL*，a*，b*値は（５３，−３５，１５）、誤差ΔＥ±１０であった。
【０１３２】
実施例５として、印刷機２０によって、用紙３０に、シアン，イエロそれぞれのインキにそれぞれのインキの重量の５％の白インキを添加した白インキ添加シアンインキ、白インキ添加イエロインキを重ねて印刷した印刷物を印刷物ＰＣ３とする。印刷物ＰＣ３のL*，a*，b*値は（４２，−２４，１２）、誤差ΔＥ±１０であった。
【０１３３】
実施例６として、印刷機２０によって、用紙３０に、シアン，イエロそれぞれのインキにそれぞれのインキの重量の５％の白インキを添加した白インキ添加シアンインキ、白インキ添加イエロインキを重ねて印刷し、さらに特色のグリーンインキを重ねて印刷した印刷物を印刷物ＰＦとする。印刷物ＰＦのL*，a*，b*値は（５０，−４５，１９）、誤差ΔＥ±１０であった。
【０１３４】
図４３は、印刷物ＰＡ３，ＰＣ３，ＰＦのa*，b*平面内での色再現域を示している。色再現域を示す六角形が外側に位置するほど、彩度が向上して鮮やかなカラー画像となる。特色のグリーンインキを加えることによって、グリーンの彩度が向上して鮮やかなグリーンとなる。
【０１３５】
L*a*b*表色系で表されるグリーンのL*値は、実施例６の印刷物ＰＦのときは式（４３）で表すことができる。実施例６における白インキの添加量を１０％に増大させたときの印刷物を実施例６’とすると、実施例６’の印刷物のグリーンのL*値は式（４４）で表すことができる。式（４３）〜式（４８）において、ｄはシアンとイエロとの互いに同じ網点の面積率を示す。
【０１３６】
L*=−0.099×ｄ２−6.9092×ｄ＋76.23    …（４３）
L*=−0.099×ｄ２−6.9092×ｄ＋96.23    …（４４）
【０１３７】
L*a*b*表色系で表されるグリーンのa*値は、実施例６の印刷物ＰＦのときは式（４５）で、実施例６’の印刷物のとき式は（４６）で表すことができる。
【０１３８】
a*=−0.5144×ｄ２−6.9492×ｄ−7.1833    …（４５）
a*=−0.5144×ｄ２−6.9492×ｄ＋12.817    …（４６）
【０１３９】
L*a*b*表色系で表されるグリーンのb *値は、印刷物ＰＦのときは式（４７）で、実施例６’の印刷物のときは式（４８）で表すことができる。
【０１４０】
b*=−0.3699×ｄ２＋5.2026×ｄ−7.4881    …（４７）
b*=−0.3699×ｄ２＋5.2026×ｄ＋12.512    …（４８）
【０１４１】
図４４は、面積率ｄを変化させたときの式（４３），（４４）が示すL*値の特性を示している。図４５は、面積率ｄを変化させたときの式（４５），（４６）が示すa*値の特性を示している。図４６は、面積率ｄを変化させたときの式（４７），（４８）が示すb*値の特性を示している。
【０１４２】
シアンとイエロのインキに添加する白インキの量を５％から１０％まで増大させると、グリーンのL*値は図４４に示す実線から破線までの範囲で、a*値は図４５に示す実線から破線までの範囲で、b*値は図４６に示す実線から破線までの範囲で変化する。
【０１４３】
＜特色ブルー＞
比較例５として、印刷機２０によって、用紙３０に、通常のシアン，マゼンタそれぞれのインキを直接重ねて印刷した印刷物を印刷物ＰＡ４とする。印刷物ＰＡ４のL*，a*，b*値は（４０，１３，−２３）、誤差ΔＥ±１０であった。
【０１４４】
実施例７として、印刷機２０によって、用紙３０に、シアン，マゼンタそれぞれのインキにそれぞれのインキの重量の５％の白インキを添加した白インキ添加シアンインキ、白インキ添加マゼンタインキを重ねて印刷した印刷物を印刷物ＰＣ４とする。印刷物ＰＣ４のL*，a*，b*値は（３２，７，−１１）、誤差ΔＥ±１０であった。
【０１４５】
実施例８として、印刷機２０によって、用紙３０に、シアン，マゼンタそれぞれのインキにそれぞれのインキの重量の５％の白インキを添加した白インキ添加シアンインキ、白インキ添加マゼンタインキを重ねて印刷し、さらに特色のブルーインキを重ねて印刷した印刷物を印刷物ＰＧとする。印刷物ＰＧのL*，a*，b*値は（３５，１４，−３１）、誤差ΔＥ±１０であった。
【０１４６】
図４７は、印刷物ＰＡ４，ＰＣ４，ＰＧのa*，b*平面内での色再現域を示している。色再現域を示す六角形が外側に位置するほど、彩度が向上して鮮やかなカラー画像となる。特色のブルーインキを加えることによって、ブルーの彩度が向上して鮮やかなブルーとなる。
【０１４７】
L*a*b*表色系で表されるブルーのL*値は、実施例８の印刷物ＰＧのときは式（４９）で表すことができる。実施例８における白インキの添加量を１０％に増大させたときの印刷物を実施例８’とすると、実施例８’の印刷物のブルーのL*値は式（５０）で表すことができる。式（４９）〜式（５４）において、ｄはシアンとマゼンタとの互いに同じ網点の面積率を示す。
【０１４８】
L*=0.5745×ｄ２−13.855×ｄ＋79.525    …（４９）
L*=0.5745×ｄ２−13.855×ｄ＋99.525    …（５０）
【０１４９】
L*a*b*表色系で表されるブルーのa*値は、実施例８の印刷物ＰＧのときは式（５１）で、実施例８’の印刷物のときは式（５２）で表すことができる。
【０１５０】
a*=−0.0432×ｄ２＋2.8981×ｄ−10.23    …（５１）
a*=−0.0432×ｄ２＋2.8981×ｄ＋9.7655    …（５２）
【０１５１】
L*a*b*表色系で表されるブルーのb *値は、実施例８の印刷物ＰＧのときは式（５３）で、実施例８’の印刷物のときは式（５４）で表すことができる。
【０１５２】
b*=−1.119×ｄ２−0.6282×ｄ−10.219    …（５３）
b*=−1.119×ｄ２−0.6282×ｄ＋9.7815    …（５４）
【０１５３】
図４８は、面積率ｄを変化させたときの式（４９），（５０）が示すL*値の特性を示している。図４９は、面積率ｄを変化させたときの式（５１），（５２）が示すa*値の特性を示している。図５０は、面積率ｄを変化させたときの式（５３），（５４）が示すb*値の特性を示している。
【０１５４】
シアンとマゼンタのインキに添加する白インキの量を５％から１０％まで増大させると、ブルーのL*値は図４８に示す実線から破線までの範囲で、a*値は図４９に示す実線から破線までの範囲で、b*値は図５０に示す実線から破線までの範囲で変化する。
【０１５５】
＜特色レッド，特色グリーン，特色ブルー＞
図５１は、図２と同じ比較例１の印刷物ＰＡと、図２と同じ実施例１の印刷物ＰＣのa*，b*平面内での色再現域を示している。
【０１５６】
実施例９として、印刷機２０によって、用紙３０に、シアン，マゼンタ，イエロそれぞれのインキにそれぞれのインキの重量の５％の白インキを添加した白インキ添加シアンインキ、白インキ添加マゼンタインキ、白インキ添加イエロインキを重ねて印刷し、さらに特色のレッド，グリーン，ブルーのインキを重ねて印刷した印刷物を印刷物ＰＨとする。
【０１５７】
図５１に示すように、特色のレッド，グリーン，ブルーのインキを加えることによって、レッド，グリーン，ブルーそれぞれの彩度が向上し、鮮やかなカラー画像となる。
【０１５８】
以上説明した応用例においては、シアン，マゼンタ，イエロそれぞれのインキに白インキを添加しているが、シアン，マゼンタ，イエロのインキには白インキを添加せず、特色のレッド，グリーン，ブルーそれぞれのインキに白インキを添加してもよい。
【０１５９】
以上説明した本実施形態の印刷方法、印刷物の製造方法、印刷物、インキセットをまとめると次のとおりである。
【０１６０】
図１において、印刷機２０は、用紙３０に、複数の色のインキそれぞれに、それぞれの色のインキの重量に対して１％〜１２％の白インキを添加した白インキ添加インキを用いてカラー画像を印刷する。本実施形態の印刷方法によれば、用紙３０に予め白インキを印刷したり、コート紙を接着したりする必要がないので、コストの上昇を抑えつつ、低級紙に印刷されるカラー画像の品質を向上させることができる。
【０１６１】
また、印刷機２０は、用紙３０に対して、複数の色のインキそれぞれに、それぞれの色のインキの重量に対して１％〜１２％の白インキを添加した白インキ添加インキを用いたカラー画像を印刷することによって印刷物３１を製造する。本実施形態の印刷物の製造方法によれば、用紙３０に予め白インキを印刷したり、コート紙を接着したりする必要がないので、コストの上昇を抑えつつ、高品質のカラー画像が印刷された印刷物３１を製造することができる。
【０１６２】
白インキの添加量は、好ましくは、４％〜１０％である。白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むのがよい。用紙３０が白色度の低い低級紙であるとき、本実施形態の印刷方法及び印刷物の製造方法は特に効果を発揮する。用紙３０は、例えば、段ボールとクラフト紙と更紙とのうちのいずれかである。
【０１６３】
印刷物３１は、用紙３０に対して、複数の色のインキそれぞれに、それぞれの色のインキの重量に対して１％〜１２％の白インキを添加した白インキ添加インキを用いたカラー画像の印刷が施されている印刷物である。本実施形態の印刷物によれば、コストの上昇を抑えつつ、印刷されたカラー画像を高品質とすることができる。
【０１６４】
白インキの添加量は、好ましくは、４％〜１０％である。白インキ添加インキは、シアンインキに白インキを添加した白インキ添加シアンインキと、マゼンタインキに白インキを添加した白インキ添加マゼンタインキと、イエロインキに白インキを添加した白インキ添加イエロインキとを含むのがよい。用紙３０が段ボール、クラフト紙、更紙のような低級紙であっても、高品質なカラー画像が印刷された印刷物とすることができる。
【０１６５】
図１において、インキセット１０は、シアンインキに白インキが添加された白インキ添加シアンインキと、マゼンタインキに白インキが添加された白インキ添加マゼンタインキと、イエロインキに白インキが添加された白インキ添加イエロインキとを備える。白インキの添加量は、それぞれのインキの重量に対して１％〜１２％でよい。白インキの添加量は、好ましくは、４％〜１０％である。
【０１６６】
インキセット１０を用いてカラー画像を印刷すれば、用紙３０が白色度の低い低級紙であっても印刷されるカラー画像の品質を向上させることができる。インキセット１０は、複数の色のインキがカートリッジに充填されている構成であってもよい。
【０１６７】
本発明は以上説明した本実施形態に限定されるものではなく、本発明の要旨を逸脱しない範囲において種々変更可能である。
【符号の説明】
【０１６８】
１０  インキセット
２０  印刷機
３０  用紙
３１  印刷物
【図１】
2016215440.tif 000003
【図２】
2016215440.tif 000004
【図３】
2016215440.tif 000005
【図４】
2016215440.tif 000006
【図５】
2016215440.tif 000007
【図６】
2016215440.tif 000008
【図７】
2016215440.tif 000009
【図８】
2016215440.tif 000010
【図９】
2016215440.tif 000011
【図１０】
2016215440.tif 000012
【図１１】
2016215440.tif 000013
【図１２】
2016215440.tif 000014
【図１３】
2016215440.tif 000015
【図１４】
2016215440.tif 000016
【図１５】
2016215440.tif 000017
【図１６】
2016215440.tif 000018
【図１７】
2016215440.tif 000019
【図１８】
2016215440.tif 000020
【図１９】
2016215440.tif 000021
【図２０】
2016215440.tif 000022
【図２１】
2016215440.tif 000023
【図２２】
2016215440.tif 000024
【図２３】
2016215440.tif 000025
【図２４】
2016215440.tif 000026
【図２５】
2016215440.tif 000027
【図２６】
2016215440.tif 000028
【図２７】
2016215440.tif 000029
【図２８】
2016215440.tif 000030
【図２９】
2016215440.tif 000031
【図３０】
2016215440.tif 000032
【図３１】
2016215440.tif 000033
【図３２】
2016215440.tif 000034
【図３３】
2016215440.tif 000035
【図３４】
2016215440.tif 000036
【図３５】
2016215440.tif 000037
【図３６】
2016215440.tif 000038
【図３７】
2016215440.tif 000039
【図３８】
2016215440.tif 000040
【図３９】
2016215440.tif 000041
【図４０】
2016215440.tif 000042
【図４１】
2016215440.tif 000043
【図４２】
2016215440.tif 000044
【図４３】
2016215440.tif 000045
【図４４】
2016215440.tif 000046
【図４５】
2016215440.tif 000047
【図４６】
2016215440.tif 000048
【図４７】
2016215440.tif 000049
【図４８】
2016215440.tif 000050
【図４９】
2016215440.tif 000051
【図５０】
2016215440.tif 000052
【図５１】
2016215440.tif 000053